(57)【要約】【課題】操作者がタッチパネルを操作する際の違和感を低減しつつ、押圧検出部が検出した信号を増幅しても、当該増幅による不都合が制御部に及ばないようにする電子機器を提供する。【解決手段】電子機器１は、接触を検出するタッチパネル１０と、タッチパネル１０に対する押圧に基づくデータに基づき所定の処理を行う制御部８０と、を備え、制御部８０は、タッチパネル１０により検出される接触の位置に応じて、押圧に基づくデータに対する増幅率を制御することを特徴とする。【選択図】図１
2013200758.tif 000002
【特許請求の範囲】
【請求項１】
接触を検出するタッチパネルと、
前記タッチパネルに対する押圧に基づくデータに基づき所定の処理を行う制御部と、を備え、
前記制御部は、前記タッチパネルにより検出される接触の位置に応じて、前記押圧に基づくデータに対する増幅率を制御することを特徴とする電子機器。
【発明の詳細な説明】
【技術分野】
【０００１】
本発明は、タッチパネルを備える電子機器に関するものである。
【背景技術】
【０００２】
近年、携帯電話等の携帯端末、タブレット型ＰＣ、電卓、券売機等の情報機器、電子レンジ、テレビ、照明器具等の家電製品、産業用機器（ＦＡ機器）等には、操作者による操作を検出する部材として、タッチパネルを備える電子機器が広く使用されている。
【０００３】
このようなタッチパネルには、抵抗膜方式、静電容量方式、光学式等の種々の方式が知られている。しかしながら、いずれの方式のタッチパネルにおいても、指やスタイラスペンによる操作を検出するものであって、タッチパネル自体は、タッチされても、押しボタンスイッチのようには物理的に変位しない。このため、操作者は、タッチパネルに対して操作を行っても、当該操作に対するフィードバックを得ることはできない。
【０００４】
そこで、タッチパネルに対する操作が検出されると、振動を発生するフィードバック方法が提案されている（特許文献１参照）。特許文献１に記載の入力装置は、押圧検出部（荷重検出部）を備えており、この押圧検出部がタッチパネルに対する操作による押圧を検出する構成になっている。このような構成において、検出される押圧が所定の（触感を呈示する）基準を満たした際に、振動部の駆動によりタッチパネルを振動させて、操作者の指等に触感を呈示することができる。また、この際、接触が検出されている位置が表示部に表示されたキー等の所定のオブジェクトの位置に対応する場合には、当該オブジェクトに関連付けられた所定のアプリケーションソフトウェアを実行させるなど、所定の処理を行うようにもできる。
【０００５】
このようにすれば、操作者がタッチパネルに軽く触れた際ではなく意図してタッチパネルを押し込んだ際に、触感が呈示されて所定の処理が実行される。したがって、このようにすれば、操作者が意図せずタッチパネルに軽く触れてしまうことにより操作者が意図しない処理が実行されたり、操作者に違和感のある触感が呈示されたりすることを防ぐことができる。
【０００６】
また、通常のタッチパネルにおいては、操作者の指等による押圧が仮に同じ力で行われたとしても、タッチパネル上で当該押圧が検出される位置が異なる場合、押圧検出部により検出される検出値は異なることがある（特許文献１の図７および８参照）。ここで、押圧検出部により検出される検出値とは、押圧検出部を圧電素子で構成する場合には、当該圧電素子から出力される電圧値とすることができる。また、押圧検出部を圧電素子で構成する場合、その圧電素子に電圧をかけて振動させることにより振動部としての機能も担わせることができる。
【０００７】
上述のように、タッチパネル上において同じ力の押圧に対して検出される検出値が異なると、検出値が所定の基準を満たしたら振動部を駆動させる構成において、振動が発生するための押圧として求められる力が一定にならない。すると、同じタッチパネル上において、ある位置では操作者が比較的弱く押圧するだけで振動が発生し、また他の位置では操作者が比較的強く押圧しないと振動が発生しないという不都合が生じる。
【０００８】
特許文献１に記載の入力装置は、このような不都合に対処するものであり、振動部の駆動に際して押圧検出部が検出する検出値が満たすべき所定の基準を、タッチパネルの位置に応じて調整する。このようにすれば、タッチパネル上において異なる位置で検出される検出値が異なったとしても、振動が発生したり所定の処理が実行されたりするための押圧を一定にすることができる。したがって、特許文献１に記載の入力装置によれば、タッチパネル上のどの位置においても、触感が呈示されて所定の処理が実行される押圧の大きさを一定にすることができるため、操作者が操作を行う際の違和感は著しく低減される。
【先行技術文献】
【特許文献】
【０００９】
【特許文献１】特開２０１１−４８６９８号公報
【発明の概要】
【発明が解決しようとする課題】
【００１０】
上記特許文献１に記載の入力装置においては、タッチセンサの端辺付近に、押圧検出部（荷重検出部）兼触感呈示部として４つの圧電素子を配設している（特許文献１の図５参照）。このような入力装置を含む電子機器において、例えば比較的大きめのタッチパネルを採用する場合、タッチパネルの各位置に対する押圧を正確に検出するため、圧電素子をより多く設置するのが好適である。
【００１１】
しかしながら、このように圧電素子を多数用いて押圧検出部を構成する場合、複数の圧電素子を少数のＩＣ（触感制御部）で触感呈示の有無の判定などについての制御を行おうとすると、タッチパネルに対する押圧を良好に検出できないおそれがある。これは、押圧検出部が検出する検出値として、全ての圧電素子により出力される電圧値の平均を用いる場合、操作者がタッチパネル上で１点を押圧した際に、タッチパネルの歪みが大きな位置と小さな位置とが存在するためである。この場合、タッチパネルの歪みが大きな位置の圧電素子から出力される大きな電圧値も、他の位置の歪みの小さな圧電素子から出力される電圧値によって平均化されて、小さくなってしまう。したがって、このような場合、圧電素子が検出した電圧値を増幅器で増幅してから、触感制御部に入力するのが好適である。
【００１２】
ところが、このように増幅器により電圧値を増幅すると、微弱な検出信号を増幅するのみならず、もともと微弱ではなかった検出信号も増幅されてしまう。すると、増幅された電圧値によっては、触感制御部が行う処理に用いることができる値の範囲を超えてしまうことが想定される。このように、増幅された電圧値が、触感制御部により処理可能な範囲を超えると、触感制御部が当該電圧値を正しく処理することができなかったり、さらには触感制御部に対して悪影響が及んだりするおそれがある。
【００１３】
かかる事情に鑑みてなされた本発明の目的は、操作者がタッチパネルを操作する際の違和感を低減しつつ、押圧検出部が検出した信号を増幅しても、当該増幅による不都合が制御部に及ばないようにする電子機器を提供することにある。
【課題を解決するための手段】
【００１４】
上記目的を達成する第１の観点に係る電子機器の発明は、
接触を検出するタッチパネルと、
前記タッチパネルに対する押圧に基づくデータに基づき所定の処理を行う制御部と、を備え、
前記制御部は、前記タッチパネルにより検出される接触の位置に応じて、前記押圧に基づくデータに対する増幅率を制御することを特徴とするものである。
【発明の効果】
【００１５】
本発明に係る電子機器によれば、操作者がタッチパネルを操作する際の違和感は低減しつつ、押圧検出部が検出した信号を増幅しても、当該増幅による不都合が制御部に及ばないようになる。
【図面の簡単な説明】
【００１６】
【図１】本発明の実施形態に係る電子機器の機能ブロック図である。
【図２】本発明の実施形態に係る電子機器による処理を説明するフローチャートである。
【発明を実施するための形態】
【００１７】
以下、本発明に係る電子機器の実施形態について、図を参照して説明する。本発明に係る電子機器は、タッチパネルを備えた携帯電話、タブレット型ＰＣ、ノートＰＣ等とすることができる。しかしながら、本発明はこれらの携帯型の機器に限定されるものではなく、タッチパネルを備えたデスクトップＰＣ、家電製品、産業用機器（ＦＡ機器）、家電製品、専用端末等、種々の電子機器とすることができる。
【００１８】
図１は、本発明の実施形態に係る電子機器の機能ブロック図である。
【００１９】
図１に示すように、電子機器１は、タッチパネル１０、押圧検出部２０−１〜２０−８、駆動信号増幅器３０、検出信号増幅器４０、切替器５０，６０、触感制御部７０、および主制御部８０を備えている。
【００２０】
タッチパネル１０は、そのタッチ面に対する操作者の指やスタイラスペンなどによる接触を検出するもので、抵抗膜方式、静電容量方式、光学式等などの方式のもので構成することができる。このタッチパネル１０は、操作者の指やスタイラスペンなどがタッチ面に接触する位置の情報を出力する。この出力により、主制御部８０は、タッチパネル１０によって検出された接触の位置を取得することができる。
【００２１】
なお、タッチパネル１０は、例えば透明の部材で構成して、その背面側に、液晶表示ディスプレイ（ＬＣＤ）や有機ＥＬディスプレイなどで構成される表示部１２（図１においてタッチパネル１０内に破線で示す）を備えるようにもできる。この場合、例えば表示部１２にキーやボタン等のオブジェクトを描画して表示し、当該オブジェクトに対して操作者が押圧する操作をタッチパネル１０上で検出することができる。
【００２２】
また、タッチパネル１０は、適切な手段によって、振動可能なようにして筐体などに配設するのが好適である。すなわち、タッチパネル１０の各端辺全てを筐体などに強固に固定してしまうと、タッチパネル１０を振動させる際の振幅を稼ぐことができず、操作者に良好な触感を呈示することができなくなる。したがって、例えば弾性部材を介してタッチパネル１０を筐体に配設したり、タッチパネル１０を部分的に筐体に固定したりするなどして、タッチパネル１０を振動可能なようにして筐体などに配設するようにする。
【００２３】
押圧検出部２０−１〜２０−８は、タッチパネル１０のタッチ面に対する操作者の指等の押圧を検出するもので、例えば、歪みゲージセンサや圧電素子等の荷重に対してリニアに反応する素子を用いて構成することができる。
【００２４】
例えば、各押圧検出部２０が圧電素子で構成された場合、タッチパネル１０のタッチ面に対する押圧に係る荷重（力）の大きさ（または、荷重（力）の大きさが変化する速さ（加速度））に応じて、圧電素子の電気的な特性により出力される電圧の大きさ（電圧値）が変化する。この場合、押圧検出部２０は、この電圧の大きさ（電圧値（以下、単にデータと称する））を触感制御部７０に通知することができる。触感制御部７０は、押圧検出部２０がデータを触感制御部７０に通知することにより、または、触感制御部７０が押圧検出部２０の圧電素子に係るデータを検出することにより、当該データを取得する。すなわち、触感制御部７０は、押圧検出部２０から押圧に基づくデータを取得することにより、タッチパネル１０のタッチ面に対する操作者の押圧に基づくデータを取得する。
【００２５】
図１に示す例においては、タッチパネル１０の縦（垂直）方向の端辺付近に、それぞれ押圧検出部２０を４つずつ、計８つ配置している。なお、図１において、各押圧検出部２０を破線で示してあるのは、これら各押圧検出部２０がタッチパネル１０の背面側に接地されていることを表している。しかしながら、押圧検出部２０の配置は図１に示す例に限定されるものではなく、タッチパネル１０の形状および配設態様、タッチパネル１０において検出すべき押圧の態様、および電子機器１が呈示すべき触感の態様など種々の要因に応じて、様々な配置とすることができる。また、押圧検出部２０の配設数も４つに限定されるものではなく、例えば１つなど任意の個数とすることができるが、例えば４つ以上など比較的多数配設した場合に、本発明による効果が一層顕著になることが期待できる。
【００２６】
なお、押圧検出部２０−１〜２０−８を圧電素子で構成する場合、これらの圧電素子に触感制御部７０から所定の駆動信号を供給することにより、この圧電素子を振動させて操作者の指などに触感を呈示することができる。したがって、この場合、押圧検出部２０−１〜２０−８は、触感呈示部としても機能させることができる。本実施形態において、押圧検出部２０−１〜２０−８とは別個の部材として、触感呈示部を設けることもできるが、以下の説明においては、押圧検出部２０を圧電素子で構成することにより、押圧検出部２０が触感呈示部も兼ねる場合について記す。
【００２７】
図１に示すように、押圧検出部２０が配設されたタッチパネル１０と、触感制御部７０との間には、切替器５０，６０を介して駆動信号増幅器３０および検出信号増幅器４０が接続されている。切替器５０，６０は、任意のスイッチなどで構成することができる。また、この駆動信号増幅器３０および検出信号増幅器４０は、任意のアンプなどにより構成することができる。このような構成により、押圧検出部２０が検出したタッチパネル１０に対する操作者の押圧の検出信号を、必要に応じて検出信号増幅器４０により増幅してから触感制御部７０に供給することができる。また、このような構成により、触感制御部７０から出力される駆動信号も、必要に応じて駆動信号増幅部３０により増幅してから各押圧検出部２０に供給することができる。
【００２８】
このような構成を実現するために、切替器５０および６０は、触感制御部７０から出力される駆動信号が駆動信号増幅部３０を介して各押圧検出部２０−１〜２０−８に供給されるように、信号経路を切り替える。このようにして供給される駆動信号により、触感呈示部として機能する押圧検出部２０−１〜２０−８は、振動を発生することにより操作者の指などに対して触感を呈示することができる。また、切替器５０および６０は、押圧検出部２０−１〜２０−８により検出された信号が検出信号増幅器４０を介して触感制御部７０に供給されるように、信号経路を切り替える。切替器５０および６０による信号経路の切り替えは、触感制御部７０による制御に基づいて行うことができる。なお、切替器５０および６０による信号経路の切り替えは、主制御部８０による制御に基づいて行うようにしてもよい。
【００２９】
また、本実施形態において、検出信号増幅器４０は、触感制御部７０の制御によって、入力される信号を所定の増幅率で増幅してから出力する。また、後にさらに説明するように、検出信号増幅器４０は、入力される信号を増幅する際の増幅率を、主制御部８０から指定されるようにすることができる。具体的には、主制御部８０が、タッチパネル１０により検出される接触の位置に応じて、タッチパネル１０に対する押圧に基づくデータに対する増幅率を指定する。そして、触感制御部７０は、検出信号増幅器４０が入力される信号を当該指定された増幅率に増幅するように制御する。なお、主制御部８０が、検出信号増幅器４０が入力される信号を当該指定された増幅率に増幅するように制御してもよい。
【００３０】
主制御部８０は、電子機器１の各機能部をはじめとして、電子機器１の全体を制御および管理する。特に、本実施形態においては、主制御部８０は、タッチパネル１０により検出される接触の位置に応じて、触感制御部７０を制御する場面について説明する。図１に示すように、主制御部８０は、タッチパネル１０により検出される接触の位置を取得することができる。
【００３１】
触感制御部７０は、主制御部８０による制御に基づいて、切替器５０，６０および検出信号増幅器４０を制御する。図１において機能ブロックを結ぶ破線の矢印は、主に制御信号の流れを表している。また、触感制御部７０は、切替器５０，６０および駆動信号増幅器３０を経て、触感呈示部として機能する押圧検出部２０を振動させるための駆動信号を供給することができる。さらに、触感制御部７０は、切替器５０，６０および検出信号増幅器４０を経て、押圧検出部２０により検出される押圧に基づくデータを取得することができる。
【００３２】
本実施形態において、主制御部８０は、触感制御部７０に入力されるタッチパネル１０に対する押圧に基づくデータが所定の基準を満たした場合に、所定の処理を行うように制御する。すなわち、主制御部８０は、タッチパネル１０に対する押圧に基づくデータに基づき所定の処理を行う。ここで、所定の処理とは、例えば、触感呈示部として機能する押圧検出部２０を振動させて触感を呈示するなどとすることができる。また、このような触感の呈示と共に、または触感の呈示の代わりに、所定のアプリケーションソフトウェアを実行させるなどの処理とすることもできる。この場合、接触が検出されている位置が表示部に表示されたキー等の所定のオブジェクトの位置に対応する場合に、当該所定のアプリケーションソフトウェアを実行させるという処理とすることもできる。なお、このような処理は、触感制御部７０が行うようにしてもよい。
【００３３】
次に、本実施形態による処理を説明する。
【００３４】
図２は、本発明の実施形態に係る電子機器による処理を説明するフローチャートである。図２に示す本実施形態の処理を開始する際には、主制御部８０の制御によって、表示部１２にキー等の所定のオブジェクトを表示して、当該オブジェクトに対する操作者の操作を検出する。
【００３５】
また、図２に示す本実施形態の処理を開始する際には、特許文献１に開示の内容に基づいて、触感呈示部として機能する押圧検出部２０の駆動に際して押圧検出部２０が検出する押圧の検出値が満たすべき所定の基準を、タッチパネル１０の位置に応じて調整する。このような構成を実現するために、主制御部８０は、タッチパネル１０の位置に応じて異なる前記所定の基準を、例えば主制御部８０に内蔵した記憶部に記憶しておくようにする。そして、押圧検出部２０が押圧を検出した際に、当該押圧の検出値が所定の基準を満たした場合、主制御部８０は、触感呈示部として機能する押圧検出部２０が触感を呈示するように触感制御部７０を制御する。
【００３６】
本実施形態の処理においては、このような、触感を呈示する際に押圧検出部２０により検出される検出値が満たすべき所定の基準を、例えば操作者がタッチパネル１０に対して通常の操作を行う際の押圧に基づいて決定しておく。また、このような所定の基準は、操作者の好みに合わせて、設定後も適宜変更できるようにするのが好適である。
【００３７】
本実施形態の処理が開始すると、主制御部８０は、表示部１２に所定のオブジェクトが表示された領域に対応する位置のタッチパネル１０に操作者の指などによる接触が検出されたか否かを判定する（ステップＳ１１）。
【００３８】
ステップＳ１１においてタッチパネル１０に接触が検出されたら、主制御部８０は、押圧検出部２０が押圧を検出したか否かを判定する（ステップＳ１２）。なお、ステップＳ１２においては、例えば触感制御部７０が押圧検出部２０に対する押圧が検出されたか否かを判定し、当該判定の結果のみを主制御部８０に通知するようにしてもよい。また、ステップＳ１１の後、ステップＳ１２における処理を行うことなくステップＳ１３に進んでもよい。
【００３９】
ステップＳ１２において押圧が検出されたら、主制御部８０は、タッチパネル１０において接触が検出されている位置を取得して、当該検出された接触の位置に応じて、押圧検出部２０が検出した信号を増幅するように検出信号増幅器４０を制御する（ステップＳ１３）。なお、ステップＳ１１で既にタッチパネル１０において接触が検出されている位置を取得している場合、ステップＳ１３で改めて接触の位置を取得する必要はない。
【００４０】
ステップＳ１３の処理を実現するために、接触が検出された位置と、押圧の検出信号を増幅する際の増幅率との対応関係は、例えば主制御部８０に内蔵した記憶部に記憶しておくようにする。このような対応関係は、タッチパネル１０および押圧検出部２０ならびに筐体、さらにこれら各部材の接合の態様など各種の条件によって異なることが想定される。したがって、例えば電子機器１を構成する各部材の構成態様が確定した時点で、実験的な測定などによって前記対応関係を取得するのが好適である。
【００４１】
このような対応関係を、接触が検出された位置についてどの程度精細に規定するかについても、上述した電子機器１を構成する各部材の構成態様および各種の要求に基づいて定めるのが好適である。例えば、電子機器１を構成する各部材の構成態様によっては、接触が検出された位置がある程度異なっても、押圧の検出値を増幅すべき割合があまり変わらない場合も考えられる。同様に、電子機器１を構成する各部材の構成態様によっては、接触が検出された位置が少し異なるだけで、押圧の検出値を増幅すべき割合が大きく変わることも考えられる。
【００４２】
また、上述した対応関係が例えば近似的に数式化できるような関係にある場合、主制御部８０に内蔵した記憶部には、このような数式のみを記憶して、接触が検出された位置に基づいて押圧の検出値を増幅すべき割合を算出する態様も考えられる。
【００４３】
上述した対応関係は、例えば、タッチパネル上において同じ力で押圧したとしても、タッチパネルの中心部に比べてタッチパネルの端部の方が押圧に基づくデータ（検出された検出値）が小さくなる場合、タッチパネルの中心部に比べタッチパネルの端部の方が増幅率を大きくする。また、例えば、タッチパネル上において同じ力で押圧したとしても、押圧検出部２０から遠ざかるに従って押圧に基づくデータが小さくなる場合、押圧検出部２０から遠ざかるに従って増幅率を大きくする。
【００４４】
ステップＳ１３において信号が必要に応じて増幅されたら、主制御部８０は、押圧検出部２０が検出する押圧に基づくデータが所定の基準を満たしたか否かを判定する（ステップＳ１４）。ここで、押圧に基づくデータが所定の基準を満たした際とは、押圧に基づくデータが所定の基準値に達した際であってもよいし、押圧に基づくデータが所定の基準値を超えた際でもよいし、所定の基準値と等しい押圧に基づくデータが検出された際でもよい。
【００４５】
ステップＳ１４において、押圧に基づくデータが所定の基準を満たしていない場合、主制御部８０は、ステップＳ１１に戻ってタッチパネル１０に接触が検出されているか否かを判定する。なお、ステップＳ１２において押圧が検出されていない場合も同様である。
【００４６】
ステップＳ１４において、押圧に基づくデータが所定の基準を満たした場合、主制御部８０は、触感制御部７０が所定の駆動信号を発生して、触感呈示部として機能する押圧検出部２０が振動を発生するように制御する（ステップＳ１５）。
【００４７】
ステップＳ１５において振動が発生したら、主制御部８０は、接触が検出された位置に対応するオブジェクトに関連付けられた所定のアプリケーションソフトウェアを実行させるなど、所定の処理を行う（ステップＳ１６）。
【００４８】
このように、本実施形態において、主制御部８０は、タッチパネル１０により検出される接触の位置に応じて、タッチパネル１０に対する押圧に基づくデータに対する増幅率を制御する。したがって、本実施形態によれば、押圧検出部２０が検出した押圧の検出値を増幅する際に、タッチセンサ１０における押圧の位置を考慮して増幅するため、増幅された電圧値が触感制御部７０により処理可能な範囲を超えることはない。このため、本実施形態によれば、触感制御部７０は押圧検出部２０により検出された押圧の検出値を適切に処理することができ、また押圧検出部２０が検出した押圧の検出値を増幅しても、触感制御部７０に対して悪影響が及ぶことはなくなる。
【００４９】
本発明を諸図面や実施例に基づき説明してきたが、当業者であれば本開示に基づき種々の変形や修正を行うことが容易であることに注意されたい。したがって、これらの変形や修正は本発明の範囲に含まれることに留意されたい。例えば、各構成部などに含まれる機能などは論理的に矛盾しないように再配置可能であり、複数の構成部を１つに組み合わせたり、あるいは分割したりすることが可能である。
【００５０】
例えば、上述した実施形態においては、タッチパネルの裏面側に配置した表示部１２にオブジェクトを表示してタッチパネルが操作者の接触を検出する態様について説明した。しかしながら、本発明はこのような態様に限定されるものではなく、例えば表示部を有さずに、タッチパネルのタッチ面上にオブジェクトがインクなどにより直接印刷されているような態様にも適用可能である。
【００５１】
また、上述したような押圧検出部は、タッチパネルのタッチ面に対する押圧を検出するもので、例えば、押圧に応じて物理的または電気的な特性（歪み、抵抗、電圧等）が変化する歪みゲージセンサや圧電素子等を任意の個数用いて構成することができる。
【００５２】
上述した実施形態においては、タッチパネルを表示部の上面に重ねて配置した構成について説明した。本発明による電子機器は、このような構成に限られるものではなく、タッチパネルと表示部とを離間した構成にすることもできる。しかしながら、タッチパネルを表示部の上面に重ねて配置した構成とする方が、表示される画像と、操作入力が検出される領域および発生する振動との対応関係を、操作者に容易に認識させることができる。
【００５３】
また、上述した実施形態においては、駆動信号増幅器３０が駆動信号を増幅する態様については、必要に応じて増幅すること以外の詳細は言及していない。しかしながら、本実施形態による検出信号増幅器４０が触感制御部７０の制御により増幅率を変更して信号を増幅したように、駆動信号増幅器３０も、触感制御部７０の制御により、接触が検出された位置に応じて駆動信号の増幅率を変更してもよい。
【００５４】
また、上述した実施形態においては、押圧に基づくデータが電圧値であるものとして説明した。しかしながら、本発明において、押圧に基づくデータは電圧値に限定されるものではなく、例えば抵抗値、歪み値（量）、圧力値（荷重値）などとすることもできる。
【符号の説明】
【００５５】
１０  タッチパネル
１２  表示部
２０  押圧検出部
３０  駆動信号増幅器
４０  検出信号増幅器
５０，６０  切替器
７０  触感制御部
８０  主制御部
【図１】
2013200758.tif 000003
【図２】
2013200758.tif 000004